(57)【特許請求の範囲】
【請求項１】
１０〜９０ｗｔ％のＣ５＋液体炭化水素、水、１５００〜６０００ｐｐｍの非イオン界面活性剤および２ｗｔ％以下の補助溶媒からなる水中炭化水素型エマルジョンであって、
該Ｃ５＋液体炭化水素は、炭素数５〜１２のパラフィンとアルコールとを含み、かつＣ５炭化水素の沸点〜２６０℃（５００°Ｆ）で沸騰するフィッシャー−トロプシュコールドセパレーター液からなることを特徴とするエマルジョン。
【請求項２】
該フィッシャー−トロプシュコールドセパレーター液は、Ｃ５炭化水素の沸点〜１６０℃（３２０°Ｆ）で沸騰することを特徴とする請求項１記載のエマルジョン。
【請求項３】
該フィッシャー−トロプシュコールドセパレーター液は、輸送用燃料であることを特徴とする請求項１記載のエマルジョン。
【請求項４】
該フィッシャー−トロプシュコールドセパレーター液は、水素異性化されることを特徴とする請求項１記載のエマルジョン。
【請求項５】
該非イオン界面活性剤の含有量は、３０００〜６０００ｐｐｍであることを特徴とする請求項１記載のエマルジョン。
【発明の詳細な説明】
【０００１】
【産業上の利用分野】
本発明の分野
本発明は、フィッシャー・トロプシュ液体と水とを含む安定なマクロエマルジョンに関する。
【０００２】
【従来の技術】
本発明の背景
炭化水素−水エマルジョンは周知であり、例えばパイプラインを通すような炭化水素輸送機構や、発電所や内燃機関の燃料といった様々な用途がある。これらのエマルジョンは通常マクロエマルジョンと称されている。すなわち、調製するのに多量の界面活性剤を用いるが故に清澄、半透明で、熱力学的に安定なマイクロエマルジョンに比べると、このエマルジョンは濁っているか、または不透明である。
【０００３】
水性燃料エマルジョンは、燃料として燃焼させると汚染物質を減じることが知られているが、これらのエマルジョンを作成する方法およびこのエマルジョンを調製するのに用いる界面活性剤や共溶媒（例えばアルコール）のような物質は高価である。さらに、公知のエマルジョンの安定性は通常低く、特にエマルジョンを調製するのに用いる界面活性剤の量が少ない際に安定性が低い。
【０００４】
従って、エマルジョンを調製する際に、界面活性剤または共溶媒の使用量が少なく、またはあまり高価でない物質を用いる安定なマクロエマルジョンが必要とされている。本発明においては、マクロエマルジョンの安定性は、一般に２４時間の間に生ずる分離度、通常エマルジョン形成後はじめの２４時間の間に生じる分離度として定義される。
【０００５】
本発明の概要
本発明によれば、水が連続相の安定なマクロエマルジョンが提供される。このエマルジョンは、フィッシャー・トロプシュ誘導の炭化水素液体と水と界面活性剤とを含む。好ましくは、本エマルジョンは、例えばアルコールのような共溶媒を実質的には存在させずに（例えば２．０ｗｔ％以下、好ましくは１．０ｗｔ％未満）または共溶媒を存在させずに、好ましくは共溶媒を実質的に存在させずに調製される。すなわち、フィッシャー・トロプシュ液体はアルコールをはじめとする微量の含酸素化合物を含有してもよいが、これらの含酸素化合物は、共溶媒がエマルジョンに含有されていた場合に存在するよりも、少ないものである。通常、フィッシャー・トロプシュ誘導の液体のアルコール含量は、測定不可能という意味で無であり、通常液体基準で約２ｗｔ％未満、より好ましくは約１ｗｔ％未満である。
【０００６】
本発明の主題であるマクロエマルジョンは、通常石油誘導の炭化水素との相当するエマルジョンより調製しやすく、またより安定である。例えば、ある界面活性剤の濃度において、本発明のエマルジョンの分離度は、石油誘導の炭化水素含有のエマルジョンの分離度よりかなり低い。さらに、本エマルジョンに必要とされる界面活性剤は、石油誘導の炭化水素液体のエマルジョンに必要とされるよりも少ない。
【０００７】
好ましい実施の形態
本発明において用いるフィッシャー・トロプシュ誘導の液体は、室温で液体の物質を含む炭化水素である。従って、これらの物質は、フィッシャー・トロプシュ炭化水素合成反応器からの原液体であってよく、例えばＣ４＋液体、好ましくはＣ５＋液体、より好ましくはＣ５〜Ｃ１７の炭化水素含有液体または水素異性化されたフィッシャー・トロプシュ液体（例えばＣ５＋液体）である。これらの物質は、通常少なくとも約９０％のパラフィン（ノルマルまたはイソパラフィン）、好ましくは少なくとも約９５％のパラフィン、より好ましくは少なくとも約９８％のパラフィンを含有している。
【０００８】
これらの液体はさらに、燃料としても特徴づけられる。例えばＣ４〜約３２０°Ｆ、好ましくはＣ５〜３２０°Ｆの沸点のナフサ（この水エマルジョンは発電所燃料として使用可能である。）、さらに輸送燃料、例えば約２５０〜５７５°Ｆ、好ましくは３００〜５５０°Ｆの沸点のジェット燃料、および約３２０〜７００°Ｆの沸点のディーゼル燃料油などである。フィッシャー・トロプシュ物質から誘導される高沸点のその他の液体もまた、本発明では有用な物質に含まれる。
【０００９】
通常、本エマルジョンは、１０〜９０ｗｔ％、好ましくは３０〜８０ｗｔ％のフィッシャー・トロプシュ誘導の炭化水素液体、より好ましくは５０〜７０ｗｔ％のフィッシャー・トロプシュ誘導の液体を含有する。
【００１０】
フィッシャー・トロプシュ誘導の物質は、通常少量の不飽和物（例えば１ｗｔ％以下）、オレフィンおよび芳香族（好ましくは約０．５ｗｔ％未満の総芳香族）を含有しており、硫黄または窒素は約５０ｗｐｐｍ未満で、実質上硫黄および窒素を含有していない。水素化処理されたフィッシャー・トロプシュ液体（hydrotreated Fischer-Tropsch liquid）を用いてもよく、このものは含酸素化合物、オレフィン、芳香族、硫黄および窒素を実質上ゼロまたは極く微量で含有する。
【００１１】
非イオン性界面活性剤は、石油誘導の液体エマルジョンに比べて、通常比較的低い濃度で用いられる。このように、界面活性剤の濃度は、比較的安定なマクロエマルジョンを形成するのにこれで十分である。好ましくは、用いる界面活性剤の量は、エマルジョン総量に対して、少なくとも約０．００１ｗｔ％、より好ましくは約０．００１〜約３ｗｔ％、最も好ましくは０．０１〜２ｗｔ％未満である。
【００１２】
通常、本発明のエマルジョンを調製するのに有用な界面活性剤は、非イオン性のものであり、また石油誘導またはビチューメン誘導の物質のエマルジョンを調製するのに用いられるものであって、当業者に周知である。これらの界面活性剤は、通常約７〜２５、好ましくは９〜１５のＨＬＢを有している。本発明に有用な界面活性剤としては、エトキシ化アルキル、エトキシ化鎖状アルコールおよびアルキルグルコシド、好ましくはエトキシ化アルキルフェノール、より好ましくは１分子当たり約８〜１５のエチレンオキシド単位を有するエトキシ化アルキル（例えばノニル）フェノールが挙げられる。好ましい乳化剤は、アルキルフェノキシポリアルコール、例えばＩｇｅｐｏｌという商品名で市販されているノニルフェノキシポリ（エチレンオキシエタノール）である。
【００１３】
水燃料エマルジョンを用いると、燃料の排ガス排出特性が大幅に改善され、特に本発明の物質では顕著であり、フィッシャー・トロプシュ水エマルジョンは、微粒子の排出に関し、石油誘導のエマルジョンよりもより良い排出特性を有している。
【００１４】
本発明のエマルジョンは、従来のエマルジョン技術により形成される。すなわち、炭化水素と水と界面活性剤の混合物に、例えば市販のブレンダーまたはその相当物において、エマルジョンを形成するのに十分な時間（通常は数秒間）をかけて十分な剪断を施すことによって形成される。エマルジョンの形成については、「コロイド系および界面（Colloidal Systems and Interfaces）」S. Ross および I.D. Morrison、J.W. Wiley、ニューヨーク（1988年）を参照のこと。
【００１５】
フィッシャー・トロプシュプロセスは当業者に周知であり、例えばここに参考文献として組み込まれる米国特許第５，３４８，９８２号および第５，５４５，６７４号を参照のこと。一般に、モル比が約０．５／１〜４／１、好ましくは１．５／１〜２．５／１の水素と一酸化炭素との反応であって、約１７５〜４００℃、好ましくは１８０〜２４０℃の温度、１〜１００バール、好ましくは約１０〜４０バールの圧力で、フィッシャー・トロプシュ触媒の存在下に行なわれる。一般に、該フィッシャー・トロプシュ触媒は、担持または非担持の第VIII族の非貴金属（例えば、Ｆｅ、Ｎｉ、Ｒｕ、Ｃｏ）であり、またルテニウム、レニウム、ハフニウム、ジルコニウム、チタンといった促進剤を用いるか、または用いないものである。担持させる場合には、第IVB族のような耐火性金属酸化物、例えばチタニア、ジルコニア、シリカ、アルミナまたはシリカ−アルミナを担持体として用いることができる。好ましい触媒は、非シフト触媒（例えばコバルトまたはルテニウム、好ましくはコバルト）であって、促進剤としてレニウムまたはジルコニウムを用いるものである。好ましくは、シリカまたはチタニア、好ましくはチタニアに担持されたコバルトおよびレニウムを用いた非シフト触媒である。フィッシャー・トロプシュ液体（例えば５＋、好ましくはＣ１０＋）は回収され、軽質ガス（例えば未反応の水素とＣＯ）、Ｃ１〜Ｃ３またはＣ４、および水が炭化水素から分離される。
【００１６】
炭化水素合成としても知られている非シフトフィッシャー・トロプシュプロセスは、次の反応で示すことができる。
【００１７】
２ｎＨ２＋ｎＣＯ→ＣｎＨ２ｎ＋２＋ｎＨ２Ｏ
【００１８】
本発明のエマルジョンを調製するための好ましい水原料は、フィッシャー・トロプシュプロセス、好ましくは非シフトプロセスにおいて生成するプロセス水である。この水の一般的な組成を以下に示す。含酸素化合物は好ましくは２．０ｗｔ％以下、より好ましくは１ｗｔ％未満である。
【００１９】
Ｃ１〜Ｃ１２のアルコール  ０．０５〜２ｗｔ％、
好ましくは０．０５〜１．２ｗｔ％
Ｃ２〜Ｃ６の酸            ０〜５０ｐｐｍ
Ｃ２〜Ｃ６のケトン、アルデヒド、アセテート
０〜５０ｐｐｍ
その他含酸素化合物        ０〜５００ｐｐｍ
【００２０】
フィッシャー・トロプシュ誘導の炭化水素の水素異性化条件は当業者に周知である。一般的な条件は次の通りである。
【００２１】
0004636680.tif 000002
【００２２】
水素異性化に有用な触媒は、通常本質的に酸機能性および水素化成分（hydrogenation component）を含む二元機能性のものである。水素化分解抑制剤もまた添加することができる。水素化分解抑制剤は、約０．１〜１０ｗｔ％の第1B族金属（好ましくは銅）および硫黄源のいずれか、またはこの両方である。硫黄源は、公知の方法によって触媒を予備硫化処理することによって提供することができる。例えば、ブレークスルーが生じるまで硫化水素で処理することによって提供することができる。
【００２３】
水素化成分は、第VIII族金属であり、貴金属か非貴金属のいずれかである。好ましい非貴金属には、ニッケル、コバルトまたは鉄、好ましくはニッケルまたはコバルト、より好ましくはニッケルが含まれる。第VIII族金属は、通常０．１〜０ｗｔ％の触媒効果量で存在させる。好ましくは、第VI族金属が触媒に組み込まれる。例えば、モリブデンは約１〜２０ｗｔ％の量で組み込まれる。
【００２４】
酸機能性は、触媒金属が周知の方法により複合されている担持体により提供される。この担持体は、いずれかの耐火性酸化物、耐火性酸化物の混合物、ゼオライトまたはこれらの混合物とすることができる。好ましい担持体としては、シリカ、アルミナ、シリカ−アルミナ、シリカ−アルミナ−ホスフェート、チタニア、ジルコニア、バナジアおよびその他第III族、第IV族、第V族または第VI族酸化物、ならびに超安定ＹシーブのようなＹシーブが挙げられる。好ましい担持体としては、アルミナおよびシリカ−アルミナ、より好ましくはバルク担持体のシリカ濃度が約５０ｗｔ％未満、好ましくは約３５ｗｔ％未満、より好ましくは１５〜３０ｗｔ％のシリカ−アルミナが挙げられる。アルミナが担持体として用いられるときは、少量の塩素またはフッ素が担持体に組み込んで酸機能性を与えてもよい。
【００２５】
好ましい担持触媒の表面積は、約１８０〜４００ｍ２／ｇｍ、好ましくは２３０〜３５０ｍ２／ｇｍであり、細孔容積は０．３〜１．０ｍｌ／ｇｍ、好ましくは０．３５〜０．７５ｍｌ／ｇｍ、嵩密度は約０．５〜１．０ｇ／ｍｌ、側部圧縮強さは約０．８〜３．５ｋｇ／ｍｍである。
【００２６】
担持体として用いるのに好ましい非晶質シリカ−アルミナ微小球（amorphous silica-alumina microsphere）の作成については、Ryland, Lloyd B., Tamele, M.W., およびWilson, J.N.,「クラッキング触媒、触媒作用」、第VII巻、Ed. Paul H. Emmett, Reinhold Publishing Corporation, NewYork（1960年）に記載されている。
【００２７】
水素異性化においては、７００°Ｆ＋の７００°Ｆ−への転化率は、約２０〜８０％、好ましくは３０〜７０％、より好ましくは約４０〜６０％であり、また実質的にすべてのオレフィンおよび酸素化生成物が水素化される。
【００２８】
触媒は、いずれの周知の方法によっても調製することができる。例えば、塩水溶液による含浸、初期湿潤法（incipient wetness technique）に続いて、約１２５〜１５０℃で１〜２４時間乾燥し、約３００〜５００℃で約１〜６時間焼成し、水素または水素含有ガスによる処理で還元し、所望により硫黄含有ガス（例えばＨ２Ｓ）で高温下に処理して硫化する。その結果、触媒は約０．０１〜１０ｗｔ％の硫黄を含むことになる。金属は、順番を問わずに連続してまたは２種類以上の金属を共含浸して、触媒に複合化されるかまたは添加されることができる。
【００２９】
以下の実施例は本発明を説明するためのものであって、本発明を限定するものではない。
【００３０】
実施例１
水素と一酸化炭素の合成ガス混合物（Ｈ２：ＣＯ  ２．１１〜２．１６）を、スラリーフィッシャー・トロプシュ反応器中で重質パラフィンに転化した。チタニア担持のコバルト／レニウム触媒をフィッシャー・トロプシュ反応に用いた。反応は、４２２〜４２８°Ｆ、２８７〜２８９ｐｓｉｇで行なわれ、供給原料は線速度１２〜１７．５ｃｍ／ｓｅｃで導入された。炭化水素フィッシャー・トロプシュ生成物は、簡易フラッシュ蒸留で３種類の公称上異なる沸点流れに分離された。得られた３種類の沸点留分は、１）Ｃ５〜約５００°Ｆ、すなわちＦ−Ｔ低温分離器液、２）約５００〜約７００°Ｆ、すなわちＦ−Ｔ高温分離器液および３）７００°Ｆ＋の沸点留分、すなわちＦ−Ｔ反応器ワックスであった。フィッシャー・トロプシュプロセス水は、低温分離器液から分離され、さらに精製することなく用いられた。
【００３１】
この水の詳細な組成を表１に示す。表２に低温分離器液の組成を示す。
【００３２】
【表１】
0004636680.tif 000003
【００３３】
【表２】
0004636680.tif 000004
【００３４】
実施例２
実施例１の低温分離器液７０ｍｌを、蒸留水と界面活性剤を含有する水性相３０ｍｌに注ぐことにより、７０％の水中油型エマルジョンを調製した。エチレンオキシドを１５モルと２０モル含むエトキシ化ノニルフェノールに属する２種類の界面活性剤を用いた。全油−水混合物中の界面活性剤の濃度は１５００ｐｐｍ〜６０００ｐｐｍであった。この混合物はウェアリングブレンダー（Waring blender）にて３０００ｒｐｍで１分間混合された。
【００３５】
このエマルジョンを目盛り付きの遠心分離管に移して、エマルジョンの乳化度（「完全」対「部分的」）と貯蔵安定性を調べた。「完全」な乳化とは、全炭化水素相が、水相中に分散して、水中油型エマルジョンの単一層となることを意味している。「部分的」な乳化とは、すべての炭化水素相が水相中に分散しているわけではないことを意味している。その代わりに、油−水混合物は３層に分かれる。上部が油、中間が水中油型エマルジョン、下部が水である。貯蔵安定性（ＳＳ）は、２４時間後にエマルジョンに保持されている水性相の容積パーセントとして定義される。安定性の他の測定法であるエマルジョン安定性（ＥＳ）は、２４時間後に水中油型エマルジョンが全油−水混合物に占める容積パーセントである。エマルジョンの油滴サイズは、レーザー粒子サイズ分析器で測定された。
【００３６】
表３に示すように、１５モルのエチレンオキシド（ＥＯ）を含む界面活性剤Ａは、３０００ｐｐｍと６０００ｐｐｍの濃度でパラフィン油を水中に完全に乳化した。１５００ｐｐｍの界面活性剤濃度では、「部分的」な乳化のみが可能であった。２０モルのＥＯを含む界面活性剤Ｂは、６０００ｐｐｍの濃度で完全に乳化した。３０００ｐｐｍの界面活性剤濃度では、部分的な乳化のみが可能であった。このように、界面活性剤Ａは界面活性剤Ｂより効果的にエマルジョン燃料を作成する。
【００３７】
界面活性剤Ａで調製したエマルジョンは、界面活性剤Ｂで調製したエマルジョンより安定であった。界面活性剤Ａ３０００ｐｐｍで調製したエマルジョンのＳＳおよびＥＳ安定性は、界面活性剤Ｂ６０００ｐｐｍで調製したエマルジョンと同等であった。貯蔵７日後、いずれの界面活性剤で調製した完全なエマルジョンも幾分自由水を放出したが、自由油は放出されなかった。放出された水は、軽く混合すると、エマルジョンと容易に再混合することができた。表３に示すように、エマルジョンの平均油滴サイズは８〜９μｍであった。
【００３８】
【表３】
0004636680.tif 000005
【００３９】
実施例３（参考例）
本実施例におけるエマルジョンの調製条件は、蒸留水の代わりに実施例１のフィッシャー・トロプシュ（Ｆ−Ｔ）プロセス水を用いた以外は、実施例２と同じである。
【００４０】
本実施例のエマルジョンの特性を表４に示す。表３と比べると、プロセス水の方が蒸留水より有利であることが分かる。例えば、蒸留水の場合には、界面活性剤Ｂの濃度が３０００ｐｐｍで、部分的な乳化のみが可能であった。しかしながら、完全な乳化は、フィッシャー・トロプシュ水の場合には、同じ濃度の界面活性剤で達成された。
【００４１】
プロセス水で調製したエマルジョンのＳＳおよびＥＳ安定性は、すべての試験において蒸留水で調製したエマルジョンより高い。同じ安定性に対しては、プロセス水で調製したエマルジョンは、３０００ｐｐｍの界面活性剤Ａを必要とする。一方、蒸留水で調製したエマルジョンは、同じ界面活性剤を６０００ｐｐｍ必要とする。明らかに、プロセス水の化学物質と外部の界面活性剤との相乗作用の結果、所望のエマルジョン安定性を得るための界面活性剤の濃度は減少する。
【００４２】
ＳＳおよびＥＳ安定性は、貯蔵２４時間後のエマルジョンの品質に関係している。表５に、蒸留水とＦ−Ｔプロセス水で調製されたエマルジョンの２４時間を超えるｔ１０安定性データを示す。ｔ１０安定性は、エマルジョンから水が１０％失われるのに必要な時間と定義される。３０００ｐｐｍの界面活性剤Ａでは、蒸留水で調製したエマルジョンのｔ１０安定性は２１時間であるが、プロセス水で調製したエマルジョンのｔ１０安定性は３３時間である。
【００４３】
このように、これらの実施例から、フィッシャー・トロプシュプロセスの生成物であるＦ−Ｔプロセス水でエマルジョンを調製すると利点があることが明らかに分かる。
【００４４】
【表４】
0004636680.tif 000006
【００４５】
【表５】
0004636680.tif 000007
【００４６】
実施例４
非イオン性界面活性剤については、様々なＨＬＢ値が用いられてもよい。例えば、エトキシ化ノニルフェノールについて、広範囲のエチレンオキシド単位が用いられてもよい。実施例１に示した燃料に対しては、一群のエトキシ化ノニルフェノールが用いられた。安定なエマルジョンを得るための最低界面活性剤濃度が求められた。すべての場合について、油７０％：水道水３０％が用いられた。
【００４７】
【表６】
0004636680.tif 000008
【００４８】
実施例５
本発明においては、数多くの油：水比を用いることができる。実施例４に記載した油対水の比を変えて、安定なエマルジョンを形成するための最適な界面活性剤と最低の界面活性剤濃度を求めた。用いた界面活性剤は、ＨＬＢが異なるエトキシ化ノニルフェノールであった。
【００４９】
【表７】
0004636680.tif 000009
【００５０】
実施例６
上記実施例１〜５で用いた低温分離器液に加えて、様々なフィッシャー・トロプシュ物質を用いることができる。すべてのものは、様々な界面活性剤ＨＬＢおよび油：水比で用いることができる。これを、他の２つのフィッシャー・トロプシュ液体を例に挙げて以下の表に示す。
【００５１】
Ａ：フィッシャー・トロプシュナフサであって、フィッシャー・トロプシュワッ
クスの水素異性化により得られた公称Ｃ５〜３２０°Ｆの留分
Ｂ：フィッシャー・トロプシュディーゼルであって、フィッシャー・トロプシュ
ワックスの水素異性化により得られた公称３２０〜７００°Ｆの留分
【００５２】
エマルジョンに用いた水は次のいずれかであった。
Ｃ：水道水
Ｄ：上記実施例１に記載したフィッシャー・トロプシュプロセス水
【００５３】
両ケースにおいて、燃料ＡおよびＢは、硫黄、芳香族、窒素、オレフィンおよび含酸素化合物を含有しておらず、共溶媒は用いなかった。
【００５４】
【表８】
0004636680.tif 000010